(57)【要約】本発明は、決められたドキュメントを記録するための記録装置におけるユーザによるオーディオビジュアルコンテンツの記録をプログラムすること、その記録行為が終了してその記録されたコンテンツから抽出されるシーケンスショットに割り当てられる識別子をその装置によって検出し、かつ、表示すること、シーケンスショットのそれぞれが少なくとも一つの決められた特性を示し、そのドキュメントの始まり又は終わりを識別する際にユーザを支援するために、シーケンスショットのそれぞれに関連付けられた確率の指標を表示すること、表示された識別子を選択するための指示をユーザによって導入すること、及び、その選択された識別子に関連付けられたシーケンスショットによりそのドキュメントの始まり又は終わりを識別することを含む、オーディオビジュアルドキュメントの識別方法に関する。  その方法を実行するためのユーザインタフェースを備えるレセプタもまた、開示される。【選択図】図３
2009518908.tif 000002
【特許請求の範囲】
【請求項１】
再生装置内にあるオーディオビジュアルドキュメントを識別する方法であり、前記ドキュメントは、前記ドキュメントに属さない部分をも含む、記録されたコンテンツの一部であるところの方法であって：
決められた特性を有するショットに関連付けられた識別子を表示する表示ステップであり、各ショットに関連付けられた、このショットが実際に前記ドキュメントの始まり又は終わりの識別子であるという確率の指標を表示する表示ステップ、
表示された識別子を選択するコマンドを前記再生装置へ導入する導入ステップにより、前記ドキュメントの始まり又は終わりを識別する識別ステップであり、前記ドキュメントの始まり又は終わりが、前記選択された識別子に関連付けられた前記ショットにより識別されているところの識別ステップ、
を含むことを特徴とする方法。
【請求項２】
所与のショットの確率値は、該所与のショットと同じ決められた特性を有するショットのこれまでの選択回数の関数である、
ことを特徴とする請求項１に記載のオーディオビジュアルドキュメントを識別する方法。
【請求項３】
ショットの確率値は、その検出とその識別子の表示とを可能にする前記決められた特性に基づく検出方法に依存する、
ことを特徴とする請求項１に記載のオーディオビジュアルドキュメントを識別する方法。
【請求項４】
選択コマンドの前記導入による、前記ドキュメントの始まり又は終わりの前記識別ステップの後、所与のショットの確率値は、この所与のショットと前記コマンドによって選択されたショットとの間の時間が前記ドキュメントの時間に対応する場合に、増大する、
ことを特徴とする請求項１乃至３の何れか一項に記載のオーディオビジュアルドキュメントを識別する方法。
【請求項５】
前記表示ステップは、それらのそれぞれの確率値に応じた順番に従ってショット識別子を提示する、
ことを特徴とする請求項１乃至４の何れか一項に記載のオーディオビジュアルドキュメントを識別する方法。
【請求項６】
最も高い確率を有する前記ショット識別子は、グラフィック的に強調表示される、
ことを特徴とする請求項１乃至４の何れか一項に記載のオーディオビジュアルドキュメントを識別する方法。
【請求項７】
前記検出手段は、前記記録されたコンテンツの始まりから、及び／又は、前記記録されたコンテンツの終わりから、決められた時間に亘るショットのみを検出する、
ことを特徴とする上記請求項の何れか一項に記載のオーディオビジュアルドキュメントを識別する方法。
【請求項８】
前記選択ステップは、前記ドキュメントの始まりであるとして識別されたショットの直前のショットにおいて、或いは、前記ドキュメントの終わりであるとして識別されたショットの直後のショットにおいて、実行される、
ことを特徴とする上記請求項の何れか一項に記載のオーディオビジュアルドキュメントを識別する方法。
【請求項９】
ドキュメントの記録を命令する手段と、前記ドキュメントと前記ドキュメントに属しない少なくとも一つの部分とを含むオーディオビジュアルコンテンツを記録する手段と、を含むディスプレイデバイスであって、
記録されたコンテンツからのショットに関連付けられた識別子と、各ショットに関連付けられた確率の指標とを、前記ショットが実際に前記ドキュメントの始まり又は終わりを特定するショットとなるように表示する表示手段であり、前記関連付けられたショットは、決められた特性を有するところの表示手段と、
前記表示された識別子の一つを選択するためのコマンドを導入する導入手段であり、前記ドキュメントの始まり又は終わりは、前記選択された識別子に関連付けられた前記ショットによって識別されるところの導入手段と、
を含むことを特徴とするディスプレイデバイス。
【請求項１０】
所与のショットの確率値を計算する計算手段であり、前記所与のショットは、前記所与のショットと同じ決められた特性を有するショットのこれまでの選択回数を考慮するところの計算手段、
を含むことを特徴とする請求項９記載のディスプレイデバイス。
【請求項１１】
その検出とその識別子の表示とを可能にする前記決められた特性に基づく検出方法を考慮する所与のショットの確率値を計算する計算手段、
を含むことを特徴とする請求項９記載のディスプレイデバイス。
【請求項１２】
前記ドキュメントの時間と前記ドキュメントの始まり又は終わりとして選択されたショットとを考慮する所与のショットの確率値を計算する計算手段であり、前記所与のショットと前記選択されたショットとの間の時間が、前記ドキュメントの時間に等しい場合に、前記所与のショットの確率が増大させられるところの計算手段、
を含むことを特徴とする請求項９乃至１１の何れか一項に記載のディスプレイデバイス。
【請求項１３】
前記表示手段は、それらのそれぞれの確率値に応じた順番に従ってショット識別子を提示する、
ことを特徴とする請求項９乃至１２の何れか一項に記載のディスプレイデバイス。
【請求項１４】
前記表示手段は、最も高い確率値を有するショット識別子をグラフィック的に差別化して提示する、
ことを特徴とする請求項９乃至１２の何れか一項に記載のディスプレイデバイス。
【発明の詳細な説明】
【技術分野】
【０００１】
本発明は、キー画像の表示及び選択による、レシーバによって記録されたオーディオビジュアルドキュメントの識別方法、並びに、その方法の実現に適した装置に関する。
【０００２】
本発明は、特に、オーディオビジュアル伝送のような一組の情報を、記録後に、ユーザにとって都合がよい形に作り変えるシステムに適用可能である。
【背景技術】
【０００３】
最もよく知られたシステムは、個人用ビデオレコーダ（PVR: Personal Video Recorder）である。ＰＶＲは、一般的には、圧縮フォームで少なくとも１０時間のオーディオビジュアルコンテンツの記録を可能とするハードディスクを備える。８０ギガバイトのディスクで、約４０時間のオーディオビジュアルコンテンツを記録可能である。ビデオレコーダのカセットや光磁気ディスク等の他の記録サポートも考えられ得る。
【０００４】
本発明は、特に、記録された情報を連続して順番に読み出せるシステムに適用可能である。
【０００５】
大抵、ＰＶＲのオーディオビジュアルコンテンツは、一方向性の放送ネットワークからダウンロードされる。表示されるメニューは、多かれ少なかれ直前の通知によって、そのネットワーク上で利用可能なオーディオビジュアルドキュメントの情報をユーザが得られるようにする。その表示されるメニューは、少なくともドキュメント識別子を含み、通常、そのタイトル、そのネットワークによってそのドキュメントが放送される時間帯、及び、その放送チャンネルの識別子を含む。ユーザは、所望のドキュメントの放送の間、不在であることを予測する場合、彼は、彼のＰＶＲを自動記録用にプログラムする。そのために、ユーザは、開始時刻及び終了時刻と、一般的に放送サービス情報によって提供されるチャンネル参照とを入力する。特定の時刻において、そのＰＶＲは起動し、その正しいチャンネルに追従し、そして、デジタル形式でその所望のオーディオビジュアルドキュメントに相当する全てのデータパケットを記録する。ユーザが戻ってきたときに、彼は、記録されたコンテンツの再生を開始させ、そのようにして、彼の不在時に受信されたものを見ることができる。
【０００６】
その記録の選択及び命令の作業を容易にするため、電子番組ガイド（ＥＰＧ）が一般的に利用される。ＥＰＧは、ビデオストリームと同時に放送される情報フローを利用するソフトウェアである。これらのストリームは、特定のチャンネル（例えば、ＴＮＴである。）又はパッケージ全体に関連付けられる。ＥＰＧによって利用されるストリームコンテンツには、典型的には、タイトル及び放送時刻を有する、今週の番組予定表がある。追加情報は、放送の直前に、ドキュメント毎に放送されてもよい。そのドキュメント放送の実際の時刻のより正確な指示（ＤＶＢのＥＩＴ  Ｐ／Ｆ）を送信することが意図されている。自身のレコーディングをプログラムするために、ユーザは、適切なユーザインタフェース上で、この表にあるドキュメントを指定しさえすればよい。
【０００７】
ドキュメントの製作及び放送に関連する問題のために、そのドキュメントがＥＰＧによって予定された正確な時刻に放送されることがほとんどない場合はままある。そのドキュメントが完全な状態で確実に記録されるようにするために、ユーザはしばしば、彼のプログラミング（記録計画）の始めと終わりとに時間的な“マージン（余裕）”を余儀なく追加し、また、システムの方でもオプションを起動することでこの行為を自動的に行うことができる。それ故に、そのディスクの始めに記録されるものは、そのドキュメント自身とは無関係の内容を体系的に有し、結果的に、ユーザにとっては時間の無駄となり、また、メモリ空間を不必要に占有することとなる。第一の解決策は、ドキュメント全体を見て、そして後に戻って開始マーカ及び終了マーカを位置付け、所望のドキュメントを区切ることを必要とする。しかし、この方法は、潔癖すぎる。
【０００８】
別の方法は、特定のシーケンスを自動的に検出することを必要とする。例えば、米国特許第４９７７４５５号は、パーソナルコンピュータ（ＰＣ）とビデオレコーダ（ＶＣＲ）とから成るシステムを説明する。そのＰＣは、時計を有し、かつ、放送会社によって示される時刻に、そのＶＣＲに対して記録のための信号を送信する。記録中、ＶＣＲは、そのドキュメントに索引を付け、かつ、ＰＣに通知する。このようにして、ＰＣは、そのドキュメントが磁気テープ上のどこに記録されたかを知る。そして、その記録中、ＶＣＲの読み取りヘッドの位置を知ることができ、かつ、この事実からそのドキュメントを（前方又は後方の）どこで探すべきかをこのようにして知ることができるＰＣに対して、索引マーカが伝送される。所望のドキュメントの前後にあるシーケンスは、明確に決められた特性を有し、そのドキュメントを自動的に区切り、ユーザがそれを要求する場合には、そのドキュメントをその実際の開始点から再生することが可能である。しかし、経験は、自動的に区切られ得るドキュメント（例えば、広告シーケンスである。）が多くないことを示した。結果として、ユーザが何れのドキュメントをも記録したい場合には、この技術は、もはや満足できるものではない。
【０００９】
ＴＯＳＨＩＢＡによる欧州特許出願公開第１５３０２１６号は、画像エディタを開示する。そのドキュメントは、際立った特性を有する“ショット”に分けられる。各ショットは、ユーザが選択可能な画像によって識別される。インタフェースメニューは、そのショットにアクセスするために、ユーザが画像を選択できるようにする。
【００１０】
ＦＵＪＩＴＡによる米国特許第６３２１０２４号は、ビデオ処理のためのスクリーンに現れるメニューを開示する。ユーザは、そのドキュメントを素早くスキャンして、彼がマークする画像のところで止める。そして、そのソフトウェアは、そのショットの開始点と終了点とを決定し、その二つの画像を表示する。ユーザは、このようにして、そのシーケンスの開始点と終了点とを見て、それを確かめることができる。
【特許文献１】米国特許第４９７７４５５号明細書
【特許文献２】欧州特許出願公開第１５３０２１６号明細書
【特許文献３】米国特許第６３２１０２４号明細書
【発明の開示】
【発明が解決しようとする課題】
【００１１】
これら二つの文書は何れも、ユーザに対して与えられる選択の機会の役には立たない。
【課題を解決するための手段】
【００１２】
本発明は、再生装置内におけるオーディオビジュアルドキュメントの識別方法であって、そのドキュメントは、そのドキュメントになじまない部分をも含む、記録されたコンテンツの一部であり、
決められた特性を有するショットに関連付けられた識別子の表示ステップ（２．４）であり、このショットが確かにそのドキュメントの始まり又は終わりの識別子であるという、各ショットに関連付けられた確率の表示を伴う表示ステップ、
表示された識別子選択コマンドの再生装置への導入ステップ（２．５）による、そのドキュメントの始まり又は終わりの識別ステップ（２．６）であり、そのドキュメントの始まり又は終わりは、選択された識別子に関連付けられたショットによって識別されているところの識別ステップ、
を含むことを特徴とする識別方法に関する。
【００１３】
このようにして、所望のドキュメントの記録を確かなものとすべくユーザがマージンをプログラムしておいた記録行為の後に、このユーザは、本当にそのドキュメントの始まり及び／又は終わりであると彼が考えるシーケンスを、スクリーン上で選択することによって、そのドキュメントの始まり及び／又は終わりを彼の装置に知らせることができる。各ショットに関連付けられた確率値もまた表示される。このようにして、そのユーザは、そのドキュメントの始まり及び／又は終わりを定義するショットを選択するよう導かれる。
【００１４】
第一の改良点に従って、表示されたショットの特性は、再生装置が知っている、決められた特性セットの一部である。
【００１５】
別の改良点に従って、ユーザによるそのドキュメントの正確な識別の後、そのドキュメントの部分ではないオーディオビジュアルコンテンツの部分が消去される。このようにして、その装置におけるメモリスペースは、他の目的のために解放され得る。
【００１６】
別の改良点に従って、各ショットに関連付けられた確率値が表示される。このようにして、そのユーザは、そのドキュメントの始まり及び／又は終わりを定義するショットを選択するよう導かれる。それ故に、その装置は、おそらくはそのドキュメントの始まり及び／又は終わりを定義するものであろうそれらショットを示す。別の改良点に従って、ショットに関連付けられた確率値は、その所与のショットと同じである決められた特性を有するショットのこれまでの選択回数に関連する。このようにして、ある特性を有するショットをそのユーザが以前に選択していた場合には、同じ特性を有するショットは、次の識別ステップの間で優先的に提示される。
【００１７】
別の改良点に従って、ショットの確率値は、その検出及びその識別子の表示を可能にするその決められた特性による検出方法に依存する。このようにして、それらがそのドキュメントの始まり及び／又は終わりとしてより確率高く識別される状態にする特性を有するそれらショットを、その装置は、ユーザのために強調表示する。
【００１８】
別の改良点に従って、選択コマンドの導入によるそのドキュメントの始まり又は終わりの識別の後に、この所与のショットとそのコマンドによって選択されたショットとの間の時間がそのドキュメント時間と一致する場合には、所与のショットの確率値は、増大させられる。このようにして、そのドキュメントの他端を見つけ出す確率が増大する。別の改良点に従って、ショット識別子は、それらのそれぞれの確率値によって決まる順番に従って表示される。
【００１９】
別の改良点に従って、その記録されたコンテンツの始まり、及び／又は、記録されたコンテンツの終わりから、決められた時間中に検出されたショットのみが表示される。その記録されたコンテンツの中ほどにあるショットを表示するのは有用でない。それらはおそらくそのドキュメントの始まり又は終わりに対応しないからである。
【００２０】
別の改良点に従って、ユーザは、そのドキュメントの始まりであるとして識別されたショットの直前のショット、又は、そのドキュメントの終わりであるとして識別されたショットの直後のショットを選択する。このようにして、そのドキュメントの識別は、ユーザが実際に望むドキュメントに含まれない、記録されたコンテンツの部分の終わりのところで、或いは、そのドキュメントに含まれない、記録されたコンテンツの最後の部分の始まりのところで為され得る。
【００２１】
別の改良点に従って、時間的指標は、表示されたショットのそれぞれに対して、そのショットがその記録されたコンテンツにおいて現れる時期を示しながら、表示される。このようにして、ユーザは、その記録されたコンテンツ内にある、少なくとも一つの決められた特性を有するショットのそれぞれを、よりよく位置付けるようにする。
【００２２】
本発明の目的はまた、ドキュメントの記録を命令する手段と、そのドキュメントと少なくともそのドキュメントに属さない部分とを含むオーディオビジュアルコンテンツを記録する手段とを有するディスプレイデバイスであって、
そのショットが実際にそのドキュメントの始まり又は終わりを識別するショットとなるよう、記録されたコンテンツからのそれらのショットに関連付けられた識別子と各ショットに関連付けられた確率の指標とを表示する表示手段であり、その関連付けられたショットが決められた特性を有するところの表示手段と、
それらの表示された識別子の一つのための選択コマンドを導入する導入手段であり、そのドキュメントの始まり又は終わりがその選択された識別子に関連付けられたショットによって識別されるところの導入手段と、
を有することを特徴とするディスプレイデバイスである。
【発明を実施するための最良の形態】
【００２３】
本発明の他の特性及び有利点は、本明細書において図を用いながら説明される、本発明の非限定的な実施例の記載によって明らかとなる。
【００２４】
説明を容易にするために、以下において、本発明は、オーディオビジュアル番組の表示の枠組みの中で説明される。それでもなお、本発明は、通常逐次方式で提示される他の如何なる種類の情報のユーザによる取得（再生、リスニング等）に適用可能である。
【実施例】
【００２５】
本実施例に従って、本発明を実施するためのレシーバは、双方向テレビセットであってもよく、デジタルビデオデータの受信のため、或いは、例えばインターネットのような双方向通信ネットワークへの接続をオーソライズするために設計されたレシーバであってもよい。表示される要素は、例えば、オーディオビジュアルドキュメントを放送するサービスのリストである。
【００２６】
図１は、オーディオビジュアルレシーバレコーダ（典型的には、ＰＶＲ）のブロック図である。レシーバ１は、ディスプレイスクリーン２に接続され、アンテナは、それ自身が、復調器に信号を供給するチューナを含む受信手段４に接続され、受信されるデータは、修正回路によって修正され、デマルチプレクサに送られる。そのデマルチプレクサは、レシーバ１によってサポートされる種々のアプリケーションに従い、中央装置３によってプログラムされた所定数のフィルタを含む。それらフィルタは、復調信号のパケットのヘッダにある識別情報の項目に対応する。
【００２７】
オーディオ及び／若しくはビデオセクション、又は、デマルチプレクサによってフィルタ処理されたパケットは、データメモリ９の所定領域に保存される。メモリ９は、典型的には、８０ギガバイトを最小の容量とするハードディスクである。必要ならば、その情報は、データメモリ９に保存される前に、ユーザの権限に従って、最初に解読回路によって解読される。そのレシーバはまた、テレビスクリーン２に送られるオーディオビジュアル信号を生成するためのオーディオ／ビデオ復号ロジック１０と、場合により、メモリ９における保存場所を用いながら、オーディオ／ビデオデータが双方向ネットワークから受信され得るようにするローカルデジタルバス６との通信のためのインタフェース５を含む。このネットワークは、例えば、ＩＥＥＥ１３９４ネットワークである。メモリ１２は、レシーバのオペレーティングソフト及び特定のアプリケーションを含む。本実施例に従って、メモリ１２は、“ドキュメントレコーダガイド”と呼ばれる少なくとも一つのユーザインタフェースモジュールを含む。図の明瞭化のため、メモリ１２は、単一のブロックの形で示されるが、ランダム・アクセス・メモリ、リード・オンリー・メモリ、及び、リプログラマブル・パーシスタント・メモリ（例えば、フラッシュ型である。）を一緒に含む。
【００２８】
レシーバ１はまた、リモートコントロール８の赤外線インタフェース７を含み、そのインタフェースはまた、マイクロプロセッサ３に接続される。そのリモートコントロールは、ナビゲーションボタン↑、↓、→、及び、←、並びに、“レコード”及び“ＯＫ”（確認）ボタンを特色とし、それぞれの機能は、以下で説明される。ナビゲーションボタンの使用は、この種のボタンに本発明を限定するものでは決してなく、“Ｕｐ”及び“Ｄｏｗｎ”方向ボタン若しくはマウス、又は、表示されたリストをナビゲートするための他の如何なるポインティング手段の使用が十分に考えられる。
【００２９】
“Ｏｎ  Ｓｃｒｅｅｎ  Ｄｉｓｐｌａｙ（オン・スクリーン・ディスプレイ）”から、しばしば、ＯＳＤ回路として知られるキャラクター（文字）生成器１１は、そのレシーバのパラメータや特定のアプリケーションに関連する画像のコマンドメニューの生成を可能にする。この文字生成器によって生成されたビデオ信号は、受信手段４から、或いは、デジタルネットワークとの間のインタフェース５からディスプレイスクリーン２に接続された第一ＳＣＡＲＴソケットに来るビデオ信号の一つと多重化される。
【００３０】
本実施例は、例えば、ＤＶＢ（Ｄｉｇｉｔａｌ  Ｖｉｄｅｏ  Ｂｒｏａｄｃａｓｔ）タイプのデジタルテレビ放送システムの枠組み内に位置している。本発明は、この枠組みに限定されるものではなく、要素の順序付きリストがユーザに提示されるところの他の環境においても使用され得る。そのユーザインタフェースは、電子番組ガイドアプリケーションを含む。このガイドは、ユーザが、そのサービス、及び、これらのサービスによって放送される現在及び将来のドキュメントに関する記述的情報にアクセスできるようにする。この情報は、ネットワークを通じて同様に放送されるデータから得られる。本実施例に従って、このデータは、ＤＶＢのサービスデータであり、“EN 300 468 Digital Video Broadcasting;
Specification for Service Information (SI) in DVB systems”の文書で詳細に説明される。この文書は、ＥＴＳＩ（”European Telecommunications Standards
Institute）によって出版されている。このデータは、レシーバによって受信される多重化ストリームにおいて、マイクロプロセッサ３の制御の下、受信回路４のデマルチプレクサによって既知の方法でマークされた識別子を有するパケットで運ばれ、データメモリ９の一部において、そのマイクロプロセッサによって、ＥＰＧ及びドキュメントレコーダガイドソフトウェアによる使用のために、リカバー（復元）される。その放送データは、階層方式でストリーム項目を記述するテーブルにおいて体系化される。‘ＥＩＴ’テーブルからの放送されたドキュメントの説明ばかりでなく、利用可能なサービスの説明も、特に‘ＳＤＴ’テーブルから、継続的に取得され得る。それらテーブルの階層は、対応するパケットの識別子と一緒に、ちょうど引用されたＤＶＢドキュメントに記述されている。
【００３１】
初めに、そのサービス情報を含むパケットは、レシーバのレベルで番組リストを作るためにグループ化される。ユーザは、放送サービス情報によって識別されるオーディオビジュアルドキュメントを記録するために、彼のＥＰＧを立ち上げる。現サービスの数字及び／又はテキストによる識別子が、表示されるリストから切り離して、スクリーンの小窓に表示される。ユーザは、ドキュメントを選択し、かつ、“記録”と称されるボタンを押すことにより、或いは、対応するアイコンをクリックすることにより、そのドキュメントを記録するよう彼のレシーバ１をプログラムする。
【００３２】
図２は、ＥＰＧ及びオーディオビジュアルドキュメント用のドキュメントレコーダガイドソフトウェアによる記録の主要ステップを示す。最初に、ユーザは、所与のサービスにおいて放送される、対象とするドキュメントを選択するために彼のＥＰＧを用いる（ステップ２．１）。そのドキュメントにリンクされるサービスデータは、
−その放送されるドキュメントの開始時刻
−そのドキュメント時間
−放送サービス
−そのドキュメントのタイトル及び他の特性：種類、テーマ、言語、再放送の見込み等
である。
【００３３】
ユーザは、記録コマンドを有効とし、そして、レコーダは、指示された放送時刻に従ってプログラムされる。有利的には、そのレシーバは、放送会社が意図する時刻の５分前にその記録を開始させ、また、放送会社が意図する時刻の５分後にその記録を終了させるための時間的マージンを自動的に組み入れる機能を有する。このようにして、たとえそのドキュメントが僅かに先行して放送された場合であっても、ユーザは、その開始点とその終了点とを確実に記録するようにする。
【００３４】
ステップ２．２において、レシーバ１は、ユーザが望むドキュメントのオーディオビジュアルコンテンツを記録する。そのコンテンツは、データメモリ９の部分１３に記録される。記録は、たとえユーザがそのドキュメントを同時に見ている場合であっても、実行される。仮に、最終的に、ユーザがこの記憶を見ることを欲しない場合、彼は、それをメモリから消去する。そうでなければ、本発明は、メモリ９に記録されたコンテンツの最初と最後にある不要な部分を消去できるようにする。ユーザは、記録されたコンテンツ内にあるドキュメントの正確な識別を可能にするドキュメントレコーダガイドソフトウェアを立ち上げる。ドキュメントレコーダガイドソフトウェアは、最初に、ある特性を有するショットを検出する（ステップ２．３）。“ショット”は、単一の視点からカメラ又はカムコーダーによって撮影される中断のないシーケンスである。好適には、これらの特性は、例えば、
−広告ページの開始又は終了を知らせるジングル（ＣＭソング）、
−気象情報の終了を知らせる音楽（ビジュアルコンテンツは変化し、音楽は同じ状態のままである。）、
−テキスト“tonight’s film（今夜の映画）”を伴う画像、
−主要な映画スタジオによる全ての映画の最初に出てくる吠えるライオン、
−別の主要な映画スタジオによる全ての映画の最初に出てくるトーチを持つローブをまとった女性等、
決められたドキュメントの始まり又は終わりに対応する。
【００３５】
ステップ２．４において、これらの様々なショットを特徴付ける画像がメニューに提示される。有利的には、放送時刻が各画像に関連付けられている。ユーザは、このようにして、記録の開始時における所定時間（典型的には１５分である。）の間に記録された、複数のショットの視覚的な識別子を見る。ユーザは、このようにして、ドキュメントの直前で先行する、或いは、開始するショット、及び、ドキュメントの終わりで終了する、或いは、直後に続くショットを認識し、かつ、ショットを選択することができる（ステップ２．５）。例えば、前夜に、あるチャンネルで放送されたドキュメントを保存したい場合、彼は、表示された識別子の中に、広告ページの終わりを表す、よく知られたジングル画像を見つけることができる。彼は、このジングルの後の画像が映画の始まりであることを知っている。そのため、ユーザは、方向ボタンを用いてこの識別子を選択し、そして、このようにして、そのドキュメントの正確な始まりをドキュメントレコーダガイドソフトウェアに知らせる。この場合、記録されたドキュメントは、そのアクティブにされたショットのすぐ後に続くショットで始まることとなる。トーチを持ちローブをまとった女性の画像がユーザによって選択された場合、ドキュメントレコーダガイドソフトウェアは、そのときに、記録されたドキュメントがこのショットで始まることを知る。
【００３６】
このようにして、ドキュメントレコーダガイドソフトウェアは、そのドキュメントの正確な開始点及び終了点を識別すべくユーザによって為された選択を考慮に入れる（ステップ２．６）。有利的には、そのドキュメントが一旦正しく区切られた後には、ドキュメントレコーダガイドソフトウェアは、メモリ９の領域１３から、そのドキュメントに含まれないそのオーディオビジュアルコンテンツ部分を消去する。
【００３７】
図３は、ユーザが望むドキュメントの始まり及び終わりからショットを選択するための識別子を表示するドキュメントレコーダガイドソフトウェアによって生成されるスクリーンの外観を示す。カーソル３．１は、種々のメニュー要素の選択を可能にする。ユーザは、方向ボタン又はマウスを用いてカーソル３．１を移動させる。そのメニューは、記録されたドキュメントのタイトル、日付及び記録時間が表示されるヘッダバナー３．２を含む。際立った特性を有するショットは、時間軸を表すライン上に配置される小画像３．３によって特定される。有利的には、時間的指標（分及び秒である。）は、各小画像のそばに、その記録されたコンテンツの開始点に対しテンポを合わせて位置付けるように、示される。ユーザがそのカーソルをその上に位置付けることにより小画像を選択すると、関連するビデオが、スクリーン３．４の領域で再生される。このようにして、ユーザは、このショットが実際にその記録されたドキュメントの始まり又は終わりに対応するかを確認することができる。ユーザは、その記録されたコンテンツの始まり又は終わりの何れかであるショットを見付けるために、“開始／終了”のタイトルが付けられたアイコンを選択する。
【００３８】
そのサーチ（検索）がそのドキュメントの開始点に関する場合、その（チョイス）選ばれたものを有効にするためのコマンドは、アイコン３．６“このショットでドキュメント開始”、及び、アイコン３．７“このショットの後で（即座に）ドキュメント開始”によって特定される。その検索がそのドキュメントの終了点に関する場合、その選ばれたものを有効にするためのコマンドは、アイコン４．６“このショットでドキュメント終了”、及び、アイコン４．７“このショットの前で（即座に）ドキュメント終了”によって特定される。広告ページの初めにあるジングル画像がそれら識別子の間にあるものと仮定する。ユーザは、そのとき強調表示されているこの識別子を選択し、かつ、アイコン“このショットの後でドキュメント開始”をアクティブにする。同様に、彼が“終わり”を有する画像を見せる識別子を見付けた場合、彼は、そのときこの識別子を選択し、かつ、アイコン“このショットでドキュメント終了”をアクティブにする。この場合、最後に記録されるドキュメントショットは、その選択されたショットのものとなる。アイコン“開始／終了”の連続的な選択は、
−アイコン３．６“このショットの後でドキュメント開始”及びアイコン３．７“このショットでドキュメント開始”、
−又は、アイコン４．６“このショットの前でドキュメント終了”及びアイコン４．７“このショットでドキュメント終了”、
の何れか一方を出現させる。
【００３９】
記録されたドキュメントの始まり及び終わりをマークするショットをユーザが選択し、かつ、有効化させると、彼は、“記録の有効化”と称されるアイコン３．８をアクティブにする。すると、ドキュメントレコーダガイドソフトウェアは、そのドキュメントを完璧に区切るべく、そのメモリにおけるポインタを修正し、このようにして、そのユーザが再生を要求したときには、そのドキュメントは、その正しいショットで開始或いは終了する。有利的には、ドキュメントレコーダガイドソフトウェアは、そのドキュメントの始まりの前に、或いは、そのドキュメントの終わりの後にある記録されたコンテンツを消去する。
【００４０】
特徴となるショットの検出が様々な方法で実行され得、とりわけ、少なくともオーディオシーケンスのパターン又は画像におけるパターンの検出によって実行され得ることが前に述べられた。これらのパターンは、テーブルに置かれ、かつ、パターン認識ルーチンによってエントリデータとして利用される。本発明における改良に従って、ドキュメントレコーダガイドソフトウェアは、確率値を表示させながら、検出されたショットをユーザに提示する。この確率値は、検出手段によって直接決定されてもよく、それ故に、トーチを持ちローブをまとった女性の画像、又は、吠えるライオンの画像は、広告ページからのジングルに続くショットよりも、映画開始の高い確率を有する。あるパターンは、ドキュメントの始まり又は終わりとして識別されるのに際し、他のものよりもより特徴的となる。レシーバ１が受信したパターンのそれぞれは、パターンテーブル内における絶対確率値に関連付けられている。ドキュメント解析後、全てのショットの絶対確率値は、その確率の合計が１００％に等しくなるよう、追加され、そのドキュメントに対応する相対値に適応させられる。その相対値は、その後、例えば、識別子の下に表示される。変形例によると、ショット識別子は、それらのそれぞれの確率値に従って、順番にスクリーン上に提示される。例えば、スクリーンの左にある識別子は、そのドキュメントを開始させる（或いは終了させる）ショットとなる確率が最も高いショットに対応する。
【００４１】
パターンテーブルの構造の例を示す。
【００４２】
【表１】
2009518908.tif 000003
確率を決定するための他の方法は、ユーザによって実施された選択回数の使用を含む。そのため、そのテーブルにおける各パターンは、そのパターンに対応する画像をユーザが選択する度にインクリメントされるカウンターに関連付けられる。開始ショット及び終了ショットを定義するために新しいコンテンツがユーザによって選択された場合、ドキュメントレコーダガイドソフトウェアは、パターンを持つその特徴的なショットをメモリにおいて検出し、パーセンテージの形式でそのカウンターの値を表示する。
【００４３】
その改良を実装するためのテーブル構造の例が以下に示される。
【００４４】
【表２】
2009518908.tif 000004
ショットに関連付けられた確率を決定するための他の方法は、そのドキュメント時間が既知であるという事実を利用することを含む。この時間は、大抵、放送番組にリンクするサービス情報によって伝えられる。ユーザがそのドキュメントの始まりにおけるショットに対応する識別子を選択するときに、ドキュメントレコーダガイドソフトウェアは、その時間の終わりにおけるショットを検索し、このショットに最大確率（例えば５０％）の属性を与える。確率を決定するためのこの方法は、前述の二つの方法と完全に組み合わせられ得る。
【００４５】
図４は、決められたショットのそれぞれに確率の属性を与え、それらをスクリーン上に表示するという改良点を図解する。この表示されたメニューは、ドキュメントの終わりの識別ができるようにするショットの検索を可能にする。記録の終わりにおける所定時間に（典型的には最後の１５分間に亘って）記録されたショットのその視覚的な識別子が表示される。図示された例において、ショット番号９に関連する画像がグラフィック的に強調表示され、かつ、このショットのビデオが左上の領域３．４に現れる。確率レベルは、各画像の下に現れ、このようにして、そのドキュメントの始まり又は終わりに対する望ましいショットの選択の際の目安をユーザに与える。その確率レベルは、上述のテーブルにおいて記録されているセレクションのカウンター値から計算される。最初に、ドキュメントレコーダガイドソフトウェアは、ステップ２．３において検出されたショットとそのテーブルによって参照されたショットとを相互に関連付ける。二つのショットの関連づけを可能にする種々の方法がここで使用され得る。我々は、例えば、画像の色及びテクスチャ（例えば、色及び勾配ヒストグラムである。）を特徴付けるコンパクトなシグニチャ（符号定数）を各画像から抽出することを本質とする方法を最初に引用する。二つのヒストグラムの間の距離の計算は、二つの画像の類似性に関する情報の取得を可能にする。それら二つのショットの間の距離は、結果として、それら二つのショットの画像を二つ一組でマッチさせることとなる（第一のショットの画像ｎが第二のショットの画像ｍに対応する場合、画像ｎ＋１は、画像ｍ＋１に対応する。）。二つのショットは、画像間の平均距離が閾値未満の場合に、相互に関連付けられる。検出されたショットの何れもが参照パターンに対応しない場合、検出されたショットのそれぞれは、同じ確率で選択される。そうでなければ、ドキュメントレコーダガイドソフトウェアは、非参照ショットに、最小確率（通常５％である。）を割り当て、他のショットの確率は、そのカウンター値に比例するように決定される。例えば、ドキュメントレコーダガイドソフトウェアは、記録の始まりにおいて、広告ページの終わりにおけるジングル（カウンター値：６）、及び、吠えるライオン（カウンター値：１）の特徴を示す５つのショットを検出したとする。ドキュメントレコーダガイドソフトウェアは、３つの非参照ショットに対して５％、広告ページの終わりのジングルに対して６０％、吠えるライオンに対して２０％を割り当てる。
【００４６】
図４の選択メニューが現れた場合に、フォーカス及びカーソル３．１は、ドキュメントレコーダガイドソフトウェアによって、最も高い確率を有する小画像上に置かれる。前述の例において、ドキュメントレコーダガイドソフトウェアは、広告ページの終わりのジングルを識別する画像にフォーカスを当てる。このようにして、ドキュメントレコーダガイドソフトウェアは、ユーザによって為される選択を支援する。
【００４７】
テーブルで参照されたショットをユーザが選択する度に、そのカウンターはインクリメントされる。
（説明的要約）
ディスプレイ、キー画像の選択及び関連するレセプタを用いて、記録されたドキュメントを識別する方法
本発明は、オーディオビジュアルドキュメントを識別する方法に関する。最初に、ユーザは、決められたドキュメントを記録することを目的として、オーディオビジュアルコンテンツ装置における記録行為をプログラムする。一旦、記録が実施されると、その装置は、その記録されたコンテンツから抽出されるショットに関連付けられた識別子を検出し、かつ、表示する。関連付けられたショットのそれぞれは、少なくとも一つの決められた特性を有する。そのショットが実際にそのドキュメントの始まり又は終わりを識別するショットであるという、各ショットに関連付けられた確率の指標もまた、表示される。そして、ユーザは、表示された識別子のための選択コマンドを導入し、そのドキュメントの始まり又は終わりは、その選択された識別子に関連付けられたショットによって識別される。
【００４８】
本発明はまた、その方法を実施するためのユーザインタフェースを特徴とするレシーバに関する。
【００４９】
要約の図：図３
【図面の簡単な説明】
【００５０】
【図１】本実施例に従ったテレビ視聴及びドキュメント記録システムのブロック図である。
【図２】ドキュメントを記録するためのステップの順番を示すフローチャートである。
【図３】記録されたドキュメントの始まりを区切るためのショットの表示を表すスクリーンの外観の例である。
【図４】本発明の改良点に従った、記録されたドキュメントの終わりを区切るためのショットの表示を表すスクリーンの外観の別の例である。
【図１】
2009518908.tif 000005
【図２】
2009518908.tif 000006
【図３】
2009518908.tif 000007
【図４】
2009518908.tif 000008
【国際調査報告】
2009518908.tif 000009
2009518908.tif 000010
2009518908.tif 000011
2009518908.tif 000012
2009518908.tif 000013
2009518908.tif 000014